(57)【要約】引張り手段で引張られかつ互いに平行に延びる糸を持つ糸層の処理の際、糸の処理の順序を変化できるようにするため、糸層から分離可能な少なくとも１つの糸を一時貯蔵する貯蔵装置が提案される。貯蔵装置は、張力を受ける少なくとも１つ又は複数の糸を保持する少なくｔも１つの受入れ部を持つ少なくとも１つの貯蔵手段を備えており、この少なくとも１つの受入れ部が糸層の面の外に設けられている。更に貯蔵装置は、糸を貯蔵手段の引渡す少なくとも１つの引渡し手段を持っている。
2005516127.tif 000002
【特許請求の範囲】
【請求項１】
互いに実質的に平行に延びる糸により形成される糸層から分離可能な少なくとも１つの糸を一時保管するための貯蔵装置が、
張力を受ける１つ又は複数の糸を保持する少なくとも１つの受入れ部を持つ少なくとも１つの貯蔵手段を備えており、この少なくとも１つの受入れ部が糸層の面の外に設けられ、
貯蔵装置が糸を貯蔵手段へ引渡す少なくとも１つの引渡し手段を持っている、
一時保管用貯蔵装置。
【請求項２】
制御装置を持ち、この制御装置により、糸層の糸の所定の目標順序が糸の実際順序と比較可能であり、
目標順序と実際順序とが相違する場合、糸の少なくとも１つを少なくとも１つの受入れ部へ移すため、制御装置が少なくとも１つの引渡し手段を動作させることを特徴とする、請求項１に記載の貯蔵装置。
【請求項３】
互いに分離した複数の糸を貯蔵手段に同時に設けるため、少なくとも１つの貯蔵手段の複数の受入れ部が設けられることを特徴とする、請求項１に記載の貯蔵装置。
【請求項４】
貯蔵手段が回転可能な軸（２２，２３）を持ち、複数の受入れ部を構成するためこの軸が、複数のねじ山（巻き数）を持つねじ（３３）を備えていることを特徴とする、請求項３に記載の貯蔵装置。
【請求項５】
引渡し手段により、貯蔵すべき糸が分離個所で捕捉されて、貯蔵手段へ移送可能であることを特徴とする、先行する請求項の１つに記載の貯蔵装置。
【請求項６】
引渡し手段により糸が貯蔵手段から取出し可能であることを特徴とする、先行する請求項の１つに記載の貯蔵装置。
【請求項７】
糸層のそれぞれの側に設けることができる２つの貯蔵手段が設けられていることを特徴とする、先行する請求項の１つに記載の貯蔵装置。
【請求項８】
糸層により形成される面に関して対称に貯蔵手段が設けられていることを特徴とする、請求項７に記載の貯蔵装置。
【請求項９】
両方の貯蔵手段の運動が互いに同期化されていることを特徴とする、先行する請求項７及び８の１つ又は両方に記載の貯蔵装置。
【請求項１０】
糸が運搬区間に沿って貯蔵手段へ引渡し可能であり、かつこの貯蔵手段中で運動可能であり、実質的に運搬区間に沿って再び送出し可能であることを特徴とする、先行する請求項の１つに記載の貯蔵装置。
【請求項１１】
第１の糸が貯蔵手段により受入れ可能であり、第１の糸が貯蔵手段から取出される間又は前に、時間的に第１の糸の後で糸層から分離される第２の糸が糸層の処理側へ移送可能であることを特徴とする、先行する請求項の１つに記載の貯蔵装置。
【請求項１２】
第２の糸が貯蔵手段の助けなしに糸層から処理側へ達することを特徴とする、請求項１１に記載の貯蔵装置。
【請求項１３】
糸層から分離可能な少なくとも１つの糸を一時保管するための貯蔵装置が、
糸層を引張るための引張り手段を持ち、それにより糸層の糸の少なくとも一部が互いに実質的に平行に整列可能であり、
貯蔵装置が回転軸線の周りに回転可能な少なくとも１つの貯蔵手段を備えており、この貯蔵手段が張力を受ける糸を保持する少なくとも１つの受入れ部を持ち、この少なくとも１つの受入れ部が引張られる糸層の面の外に設けられ、
貯蔵手段が駆動装置により互いに逆の２つの方向に回転可能である、
一時保管用貯蔵装置。
【請求項１４】
貯蔵装置が、少なくとも１つの糸を貯蔵装置に設けるため第１の回転方向に回転可能であり、少なくとも１つの糸を送出すため逆の方向に回転可能であることを特徴とする、請求項１３に記載の貯蔵装置。
【請求項１５】
２つの締付け個所の間に締付けられる糸層から個々の糸を分離する装置が、分離手段を備えており、この分離手段により、締付け個所の間の糸層から、それぞれ１つ又は同時に複数の糸が取出し可能であるものにおいて、先行する請求項１〜８の１つに記載の貯蔵装置（２１）が設けられていることを特徴とする、分離装置。
【請求項１６】
個々の糸の特性特に糸層から分離される糸の特性を検出する検出装置が設けられていることを特徴とする、請求項１５に記載の装置。
【請求項１７】
検出装置により検出される糸の特性に関する情報を供給するため、検出装置が分離装置の制御装置に接続され、この制御装置に糸層の糸の少なくとも１つの特性についての目標情報が記憶可能であり、機械制御装置により、記憶されている情報と検出装置により求められる情報との比較が行われることを特徴とする、請求項１６に記載の装置
【請求項１８】
請求項１５〜１７の１つに記載の装置が設けられていることを特徴とする、縦糸引込み機。
【請求項１９】
糸層を締付けるための手段が設けられ、それにより糸層の締付けられた糸が互いに実質的に平行に延び、少なくともそれぞれ１つの締付けられた糸を糸層から分離する手段が設けられ、綾取り機が、綾を糸層へ入れる手段を備えているものにおいて、請求項１〜１４の１つに記載の貯蔵装置が設けられていることを特徴とする、綾取り機。
【請求項２０】
締付けられている糸層（１）からそれぞれ少なくとも１つの糸（２〜４）を分離する方法において、糸（２〜４；ａ〜ｈ）の所定の順序の相違があると、糸層（１）から分離された少なくとも１つの糸が一時貯蔵装置へ移され、少なくとも１つの別の糸が糸層から分離された後、前記の分離された糸が一時貯蔵装置から取出されることを特徴とする方法。
【請求項２１】
糸が糸層外にある受入れ部に一時貯蔵されることを特徴とする、請求項２０に記載の方法。
【請求項２２】
糸の所定の順序が、電子制御装置において、検出装置により求められる糸の順序の実際状態と比較され、相違があると、分離された糸を引受けて一時貯蔵装置へ移す引渡し手段が動作せしめられることを特徴とする、先行する請求項２０及び２１の１つ又は両方に記載の方法。
【請求項２３】
まず糸が第１の一時貯蔵装置へ移され、この糸の取出し前に少なくとも１つの別の糸が第２の一時貯蔵装置へ移され、両方の貯蔵装置が糸層の異なる側に設けられていることを特徴とする、先行する請求項２０〜２３の１つに記載の方法。
【請求項２４】
糸層の部分層の積層順序に基いて、どの一時貯蔵装置へそれぞれの糸が移されるかが決定されることを特徴とする、請求項２３に記載の方法。
【請求項２５】
順次に複数の糸が特定の順序で少なくとも１つの一時貯蔵装置へ移され、これらの糸が順次に逆の順序で再びこの少なくとも１つの一時貯蔵装置から取出されることを特徴とする、先行する請求項２０〜２４の１つに記載の方法。
【発明の詳細な説明】
【発明の詳細な説明】
【０００１】  本発明は、締付け個所の間に締付けられている糸層から糸を分離するための装置に関する。
【０００２】  糸の区切り又は分離は、繊維製品の生産に関連してしばしば行わねばならない作業段階である。その例は、縦糸層の縦糸を織機の綜絖素子へ引込むこと、又は綾を入れることである。それ以外の適用は、既に横糸を備えた古い縦糸層の縦糸の結び付けの際行われる。この場合も縦糸は枠に締付けられており、糸結び機による結び付けの前に層から分離されねばならない。
【０００３】  これらの場合糸は枠に引張られて存在し、枠において一緒に糸層を形成する。その際個々の糸は通常非常に近接しており、それにより糸の分離が困難である。この場合分離とは、層の個々の単一の糸を次の段階のため糸層とは関係なく取扱い可能にする方策を意味する。綜絖素子でばらばらにされた縦糸の実際の引込みの際、誤分離による誤引込みを確実に回避するため、特に綜絖素子へのフィラメント糸の引込みに関して、個々の糸のために分離補助としていわゆる綾が必要である。綾は、色のついた糸から成る糸層において糸配列を保証する目的のためにも公知である。
【０００４】  しかし綾を前もって糸層へ入れることも必要である。この場合縦糸に交差している２つのひもを縦糸の開へ引込むか又は織り込まねばならない。それぞれ２つの縦糸の間の範囲で、ひもが交差する。従って交差ひもの往復運動により、それぞれ一番前の糸が残りの糸から離され、続いて分離手段により分離されることができる。
【０００５】  この場合綾なしの層から分離の際、両方の締付け個所の間に引張られる糸層の糸が交差部の上にあることが問題となる。その結果分離個所にあって締付け個所に関して実際に一番前にある層の糸が、次の分離過程のための分離手段に対向しないことになる。その場合の代わりに、締付け個所に関して実際に後の糸が一番前にある。この次の糸が分離手段によりまず捕捉されて連行されると、これにより実際に一番前にある糸に、瞬間的に分離された糸が巻付く。このような巻付きは糸を機械的に特に強く負荷し、後続過程においてしばしば糸の破断をひき起こす。従ってこのような巻付きは、この理由から無条件に回避すべきである。
【０００６】  しかしこのような誤分離は、特に誤分離により縦糸模様反覆に一致しない糸順序が生じる時に、回避せねばならない。縦糸模様反覆とは、糸形式例えば異なる糸の色又は直径の所定の順序を意味する。誤分離による縦糸模様反覆の相違は、続いて製織過程において眼に見える製織欠陥を生じることがある。
【０００７】  このような誤分離及びその結果は、最初にあげた種類の公知の装置では、がまんされるか、又は手による介入によって回避される。
【０００８】  従って本発明の基礎になっている課題は、上述した誤分離のうち少なくとも特定の誤分離を機械的介入により回避する可能性を与えることである。
【０００９】  最初にあげた種類の装置において、この課題を解決するため、本発明によれば、引張り手段に設けられて引張られる糸層から分離可能な少なくとも１つの糸を一時保管するための貯蔵装置が、糸層の面外に設けられる張力を受ける１つ又は複数の糸を保持する少なくとも１つの受入れ部を持ち、この少なくとも１つの受入れ部が張力を受けている１つ又は複数の糸を設けるために設けられ、かつ構成されており、貯蔵装置が糸を貯蔵手段へ引渡す少なくとも１つの引渡し手段を持っている。
更にこの課題は、請求項２０による方法によって解決される。本発明は、原理的に、例えば綾入れ装置又は縦糸分離装置のように、糸が特定の順序で分離されるあらゆる装置に適している。
【００１０】  請求項２による構成によって特別の利点が生じる。従って分離されるけれども分離されたままでない糸を、実際の取扱い過程又は処理過程から前もって取出し、一時貯蔵し、なるべく糸の所定の順序に従って再び処理過程へ入れるのが有利である。糸を処理過程例えば綾取りから一時貯蔵装置へ移すか否かの決定は、原理的に手でも行うことができる。しかしこの決定を機械的に行うのがよい。このため糸層の実際データを検出する検出装置を設けることができる。これにより例えば電子データの形で機械制御装置に記憶されている糸模様反覆が、検出装置により検出される糸層の実際データと、機械制御装置により比較可能である。制御装置が、比較される基準例えば糸の糸順序に関して実際データと目標データとの間に相違を検出すると、機械制御装置が一時貯蔵装置への糸の引渡しを行う。
【００１１】  一時貯蔵装置が、糸層により形成される面ではなくそのそばに設けられると、有利なことがわかった。これにより、分離手段が、糸層の始め従ってそれぞれ一番前の糸に側方から自由に接近することができる。更に糸に過度に機械的負荷を加える必要なしに、糸を貯蔵装置に保管することができる。
【００１２】  本発明に関連して、運搬区間に沿って糸を貯蔵手段へ引渡し、この貯蔵手段により受入れ、実質的に同じ運搬区間に沿って同じ糸を再び送出すのを可能にする貯蔵装置の構造的構成が好ましい。これは、特に簡単なやり方で、この糸の分離後に、１つ又は複数の別の糸を糸層から分離し、貯蔵手段に関係なく取扱うのを可能にする。貯蔵装置に一時貯蔵される糸はこの取扱い過程を妨げない。所定の基準が存在すると、糸を再び貯蔵手段から取出すことができる。
【００１３】  糸は、なるべく実質的に同じ運搬区間に沿って、前もって達していた貯蔵手段から取出される。糸がその受入れ後貯蔵手段内で動かされると、これらの糸は好都合なように同じ経路に沿って再び１つの位置へ達し、この位置で糸が貯蔵手段から送出される。これにより、貯蔵装置に関連し構造費が少なくなる。なぜならば、糸を貯蔵手段へ引渡す引渡し手段は、糸の戻しにも利用できるからである。
【００１４】  糸の巻付きが生じるが、この巻付きを回避できる場合、本発明による貯蔵装置が少なくとも２つの貯蔵手段を持っていると、有利である。両方の貯蔵手段のうち、それぞれ１つの貯蔵手段が糸層のそれぞれの側に設けられるのがよい。これにより、他の糸と交差する分離された糸を現在取扱いを期待される糸が他の糸と交差する糸層の側で、一時貯蔵することができる。従って捕捉されるか又は分離手段に関して近くにあるけれどもまだ処理過程へ供給されない糸は、糸層の“交差側”に留まることができる。糸層のそれぞれの側にそれぞれ１つの貯蔵手段が設けられているので、この糸は他の糸の周りに巡回される必要がない。従って糸の巻付きを回避することができる。糸は、貯蔵過程のために、この糸が他の糸の分離段階を妨げないように、その交差側で糸層から離されていればよい。
【００１５】  貯蔵手段の構造的に有利な実施形態は、縦軸線の周りに回転可能な軸を備えている。この軸は周面に１つ又は複数の糸の受入れ部を持っている。受入れ部が周面に設けられるねじにより形成されると、有利なことがわかった。
【００１６】  本発明の好ましい実施形態では、検出手段なるべく光検出手段が、糸の特定の特性を検出するために存在する。光検出手段は、例えば照明手段を備えた色カメラとして構成することができる。もちろん糸の特性を検出する他の形式も可能である。例えば金属被覆された糸を誘導センサにより検出することができる。
【００１７】  色カメラは、少なくともそれぞれ次の糸を分離する範囲を検出する。カメラが与える光情報のうち、本発明の好ましい実施形態に関連して、少なくとも１つの色情報が必要とされる。この情報は、制御装置において縦糸模様反覆のデータと比較される。縦糸模様反覆のデータは、少なくとも糸の目標順序についての情報を、その色又は他の特性の表示により含んでいる。
【００１８】  本発明の好ましい実施形態では、本発明により分離すべき（全体）層に部分層を組立てる際糸が設けられた初期層の位置についての情報も制御装置に含まれている。特に多色層は、通常は複数の単色初期層を組合わせる（組立てる）ことによって形成される。このように構成される糸層は、全体層が通常はなお単一面にあっても、多層縦糸層と称される。少なくとも初期層の相対位置（積層順序）について電子的な形で機械制御装置の記憶手段に記憶されるこれらの情報は、特に１つより多い記憶手段が存在する時に、有利に利用される。これについては更に後述する。
【００１９】  さて本発明により、比較的簡単なやり方でも、多層縦糸へ、綾を入れることが可能である。複数層の縦糸の部分層とは、特性に基いてまとめられている層の特定数の糸を意味する。例えばこれらの糸は同じ色を持っているからである。従って１つの部分層は、組立て前の初期層に相当しているが、必ずしもそうでなくてもよい。その場合すべての部分層の総和は多層縦糸を形成することができる。
【００２０】  このような多層縦糸から糸を分離するため、今まで通常は、縦糸を２つの締付け棒の間に締付けていた。締付け棒の間へ、各（部分）層に対して１つの分離棒が導入された。分離棒により、縦糸の個々の部分層の高さの差を生じることができた。これにより１つの部分層から次の部分層への移行の際、結果として縦糸模様反覆における誤りとなる誤分離を回避することができる。しかし各高さ又は部分層に対して固有の分離個所を形成せねばならないことが、欠点と感じられる。
【００２１】  本発明により、このような分離棒従ってこれを縦糸へ挿入する際それに伴う費用をなくすことができる。本発明のため、縦糸を多層で引張り、これにより個々の糸の確実で正しい分離行うことは、もはや必要でない。このような縦糸層も、それ以外の補助手段を必ずしも必要とすることなく、なるべく２つの締付け個所の間にのみ締付けられる。その場合分離手段により、糸を他の糸の後で分離することができる。層移行の際、即ち第１の特性（例えば色）の糸から他の特性の糸への移行の際、縦糸模様反覆に対する相違が検出されると、ちょうど分離された糸を貯蔵装置へ移すことができる。少なくとも１つの別の糸の分離後、貯蔵装置にある糸が縦糸模様反覆により今や分離すべきであることがわかると、糸が再び貯蔵装置から取出される。
【００２２】  本発明のそれ以外の好ましい構成は、従属請求項から明らかになる。
【００２３】  図に概略的に示されている実施例により、本発明が詳細に説明される。
【００２４】  図１には縦糸層１が部分的に示され、その個々の糸２，３，４は各糸の長さ部分にわたってそれぞれ２つの締付け棒５，６の間に締付けられている。互いに実質的に平行に延びる糸２，３，４は、ただ２つの締付け個所の間で、僅かな張力を受けて、実質的に平らな糸層１を形成している。
【００２５】  図１の糸層１において、異なる色の糸２，３，４が設けられ、常に所定数の同じ色の糸２、同じ色の糸３及び同じ色の糸４が並んでいる。従って実施例では、同じ色の糸がそれぞれ１つの部分層を形成している。図１では、異なる色が異なる種類の線で表わされている。異なる特性を持つ糸を互いに分離できるようにするため、両方の締付け個所の間で、糸層１へ２つのいわゆる層分離ひも７，８が挿入されている。層分離ひも７，８は、更に糸層の糸２〜４に実質的に交差して、従って締付け棒５，６に対してほぼ平行に延びている。このような層分離ひも７，８は以前から公知であり、通常異なる特性（例えば色、材料、直径等）の糸を持つ糸層１の手による形成（組立て）の際、既に挿入される。
【００２６】  実施例では、両方の層分離ひも７，８の１つが、糸層１においてそれぞれ色変化が行われる個所で、糸層１の側を変える。従ってこれらの個所で、異なる色の糸が並ぶ。従って層分離ひもの移動により、部分層を互いに分離することができる。このような層分離ひも７，８及びその機能は公知である。
【００２７】  さて糸層１へ、以前から公知のいわゆる綾を更に入れるものとする。図２に示す綾は通常２つの糸９，１０から成り、これらの糸は図１の層分離ひも７，８と同様に、糸層の糸２〜４の縦範囲に実質的に交差して延びている。図２に示してない層分離ひも７，８とは異なり、縦糸９，１０は、各糸の後で糸層の側を変化する。従って綾糸９，１０は各糸２〜４の後で交差し、それにより個々の糸２〜４を互いに分離する。従って綾により、個々の糸の分離を促進して行うことができる。個々の糸２〜４の速い分離は、例えば縦糸引込み機による糸層の糸へ綜絖素子の次の引込みの際に必要である。
【００２８】  図２に示す綾取り装置１２は、糸層へこのような綾を入れるために設けられている。図２の左側には、糸層の処理された部分１１へ引込まれるこのような綾糸７，１０を持つ綾が認められる。このため綾取り装置１２、図３にのみ示す分離手段１３を持ち、この分離手段はなるべく吸引ノズルとして構成することができる。吸引ノズルは先細になる間隙１５を持ち、この間隙の縦範囲は糸２〜４の向きに対して平行に延びている。間隙１５は負圧導管１６へ通じ、この負圧導管は図示しない負圧手段例えばポンプに接続されている。これにより間隙１５に負圧が発生され、この負圧により個々の糸２〜４が間隙１５に保持可能である。負圧は両方の締付け個所の間に引続き締付けられて吸引手段に吸引される糸２が、吸引ノズル１４と共に糸層１から動かされるように、大きさを選ばれる。
【００２９】  吸引ノズル１４は図示しない運搬キャリジに取付けられ、この運搬キャリジにより吸引ノズルが、糸層１の面内で糸２〜４の縦範囲に実質的に交差して移動可能である。これにより吸引ノズル１４は、それぞれ一番前の糸２〜４の前に位置することができる。吸引ノズルは更に運搬キャリジに対して糸層面内で移動可能で、それにより糸を捕捉し、糸層から離れる運動により、図３に示すように糸を分離する。
【００３０】  同様に運搬キャリジに、色カメラ１７及び光源１８として構成される検出手段が設けられ、この検出手段により糸、特に吸引ノズルにより捕捉されてこれと共に糸層から遠ざけられる糸の特性が検出可能である。このような装置は、同じ出願人のスイス国特許出願第ＣＨ２００１０７５４／０１に開示されている。構造的構成及びこの装置により実施可能な方法に関する開示内容は、これを参照することにより完全に採用される。
【００３１】  この場合色カメラ１７の分解能力は、個々の糸特に個々の糸２〜４の色及び輪郭を識別できるように選ばれる。カメラ１７により生じる画像は、データ導線１９を介して評価のため綾取り装置の電子制御装置２０へ送られる。制御装置には色識別ソフトウエアがあり、カメラ１７から供給されるデータに基いてこのソフトウエアにより、個々の糸２〜４の色を検出することができる。これに適したプログラムは原理的に公知である。これらのプログラムは、しばしばいわゆる色空間変換の方法に基いており、特定の画像範囲に対する原色（赤、緑、青）の割合が基準色との比較によって求められる。カメラ又は色センサ及び評価ソフトウエアから成る完全なシステムは、例えばドイツ連邦共和国、ベルリンの企業Ｏｐｔｒｏｎｉｋ  ＧｍｂＨ又はドイツ連邦共和国エルディングのＺｉｅｈｍａｎｎ＆Ｕｒｂａｎ  ＧｍｂＨから入手可能である。
【００３２】  制御装置２０に縦糸模様反覆を記憶することができる。図示した実施例に関連して、“縦糸模様反覆”という概念で、個々の糸２〜４の色及びその目標順序についてのデータ又は情報を意味することができる。同様に糸層において第１の色の糸から第２の色の糸への変化が起こる個所についての情報も意味することができる。これらの情報は、例えば同じ特性を持って順次に続くそれぞれの数の糸のデータにより、別の形でも記憶することができる。更に付加的に又は色情報の代わりに、糸の太さ及び糸層にあって特定の太さを持つ糸の順序についての情報も、縦糸模様反覆として記憶することができる。目標糸太さを実際糸太さとして比較する場合、制御装置はこれに適した画像識別ソフトウエアを持っている。
【００３３】  綾取り装置は、図２ａ，２ｂ及び図４によれば貯蔵装置２１を持ち、この貯蔵装置により糸が糸層面から一時貯蔵装置へ移されて、そこに一時貯蔵可能である。このため図示した実施例では、糸層１のそれぞれの側に、糸層１に対して傾斜した軸２２，２３の形の貯蔵手段が設けられている。各軸端部２２ａ，２３ａに対して斜めの滑り面２６，２７が設けられて、処理方向（矢印２８）に糸層面の方へ傾斜している。処理方向とは、綾取り機が糸層を処理する方向を意味する。糸層面のそれぞれの側に、引渡し手段として、２つのほぼＵ字状の揺動レバー２９，３０が設けられている。それぞれ糸層の同じ側にある両方の揺動レバー２９，３０は互いに同期化されており、それにより揺動運動を常に一緒に行う。最後に糸層１のそれぞれの側に、これに対して僅かな間隔をおいて平行に、棒状の捕捉片３１，３２が設けられている。
【００３４】  軸２２，２３及び揺動レバー２９，３０は、図３の吸引ノズル１４、捕捉片３１，３２及び滑り面２６，２７と同様に、図示しない運搬キャリジに設けられている。これらの部材は、運搬キャリジと共に、糸層１の面に対して平行に、処理方向に前後へ移動可能である。更に両方の揺動レバー２９，３０は、図４の図の面に対して直角な方向に関して、少し互いにずれており、それによりこれらの揺動レバー２９，３０は、それらが一部重なる位置へ揺動可能である。
【００３５】  特に軸２２，２３及び揺動レバー２９，３０は、糸層１の両側で、糸層１の面に対して対称に構成されているので、軸２２，２３の１つ及び揺動レバー２９，３０の１つの構造的構成のみを以下に説明する。
【００３６】  軸２２の縦軸線２２ｂ（図４）は、糸層１に対して角αだけ傾斜して、軸２２の自由端２２ａが糸層１に最も近いようになっている。自由端２２ａは更に糸層１の処理方向（矢印２８）へ向いている。軸２２は、その自由端２２ａから始まって、その一部に沿って雄ねじ３３を備えており、この雄ねじは全周に沿って軸２２の周りに数回巻いている。これにより形成されるねじ山の各々は、以下に更に説明するように、糸２〜４の１つのための受入れ部をなしている。
【００３７】  軸２２の自由端は図示しない駆動手段に結合されている。これにより軸２２は、連続的に調節可能な回転速度で、両回数方向に縦軸線２２ｂの周りに回転する。両方の軸２２，２３は更に互いに同期化されているので、一緒に同じ速度で駆動可能である。更に一方の軸は、他方の軸の特定の回転方向において、常に同じ回転方向を持っている。
【００３８】  引渡し手段の揺動レバー２９は、捕捉脚辺３５を引渡し脚辺３６に結合する結合脚辺３４を持っている。捕捉脚辺３５及び引渡し脚辺３６はそれぞれ自由端を持ち、この自由端は糸の取扱いのために用いられ、このために適当に形成されている。揺動レバーは、結合脚辺３４の範囲で揺動軸線３７の周りに揺動可能に枢着されている。図示しない電動駆動装置により、適当な揺動運動を生じることができる。この場合揺動レバー２９の揺動軸線３７は図４の図の面に対して直角に延び、従って糸層の糸に対して実質的に平行に延びている。更に揺動軸線３７は、結合脚辺と引渡し脚辺が互いに出合う個所にある。揺動レバー２９の図４に示す中立終端位置で引渡し脚辺３６は、処理方向２８に関して揺動レバー２９の捕捉脚辺３５の前にある。この場合両方の脚辺３５，３６の端部は、さしあたり糸層に対してほぼ同じ間隔をとっている。
【００３９】  揺動軸線３７のすぐ下で、引渡し脚辺３６は、中立終端位置で糸層１の面に対してほぼ直角に延びている。引渡し脚辺の自由端に形成されるかぎ４０は、３個所で屈曲されているので、かぎに対してほぼＵの形状が生じる。
【００４０】  捕捉脚辺３５は、引渡し脚辺３６の方へ僅か湾曲している。捕捉脚辺３５は、その自由端の範囲で著しく小さい幅を持ち、この小さい幅により針状の先端４１が形成される。先端４１は段４１の所で捕捉脚辺３５の幅広い部分へ移行している。
【００４１】  １層の糸層へ綾を入れるため、両方の締付け個所のほぼ中間で、吸引ノズル１４が、側方に糸層１の第１の糸へ、処理方向に近づけられる。吸引ノズルから及ぼされる負圧により、この第１の糸が捕捉され、処理方向２８とは逆に糸層１から特定の行程だけ連行される。カメラ１７及び制御装置２０に存在する色識別ソフトウエアにより、捕捉される第２の色が検出される。この情報が、縦糸模様反覆に記憶されている目標色と比較される。目標データが実際データと一致すると、移送手段４３の揺動運動（例えば図２ａ，２ｂに示す揺動かぎ）により、糸２が公知のように連行される。
【００４２】  それから順次に吸引ノズル１４により同じように、今や糸層のそれぞれ一番前にある糸が捕捉され、糸層から分離される。カメラ１７により、評価ソフトウエアにより行われる画像識別及び糸識別によって、実際にただ１つの糸２が捕捉されているか否かを検出することができる。更に実施例では、カメラから供給されかつ制御装置により評価される分離された糸の色情報に基いて、制御装置が比較を行う。この場合この（実際）色情報が、縦糸模様反覆に含まれる糸用（目標）色情報と比較される。この比較の際、制御装置２０が相違を検出すると、吸引ノズル１４により捕捉された糸と縦糸模様反覆によりこの糸の前に実際に設けられる１つ又は複数の糸との交差がなければならないことを前提とすることができる。
【００４３】  糸の目標順序を再び形成できるようにするため、捕捉された糸２は一時貯蔵装置へ移され、そこに貯蔵される。このため揺動レバー２９が操作され、それにより捕捉脚辺３５が糸層１の方へ動かされる。先端４１は、その円弧状運動軌道により、吸引ノズル１４により大きくされた一番前の糸と次の糸との間隔へ入る。それから段４２により捕捉脚辺３５が糸２を捕捉し、これを運動軌道で連行する。この状況が図５に示されている。所定の運搬行程で、両方の締付け個所の間に引続き締付けられている糸２のそばを、軸端部２３ａが通り過ぎる。捕捉脚辺３５の運動は、この捕捉脚辺３５の幅広い裏側が既に軸２３に対向している個所で停止される。これが図６に示されている。
【００４４】  捕捉脚辺３５がこの終端位置へ達する前又は後に開始することができる他の揺動レバー３０の操作により、その引渡し脚辺３６が、同様に揺動軸線３７の周りの円弧状運動軌道上で、偏位せしめられた糸２へ近づけられる。引続く運動の際、引渡し脚辺３６のかぎ４０が、捕捉脚辺３５のすぐそばで糸２を捕捉し、糸を引受ける（図７参照）。この時点に捕捉脚辺３５はその位置に留まるので、引渡し脚辺が、かぎ４０の中間部分で、その引続く回転運動により、捕捉脚辺の段４２を越えて、糸をその幅広い裏側へ導くことができる（図８）。これが行われると、引渡し脚辺３６が再びその中立終端位置へ戻り回転する。引渡し脚辺から釈放された糸は、今や加えられる糸張力のため、捕捉脚辺３５の湾曲した背部上を、糸層の方へ滑り、これにより軸２３の第１のねじ山へ達する（図９）。それから捕捉脚辺３５もその初期位置へ戻り回転することができる。
【００４５】  それから軸２３が、軸の自由端２３ｂから見てねじの回転方向に一致する回転方向に操作される。その結果糸がねじにより連行され、軸の縦軸線に対して直線運動でその周面上を動く。この運動は、早くとも糸がねじにより軸上に確実に保持される時に、停止される。それにより糸が一時貯蔵される。
【００４６】  両方の揺動レバー２９，３０が再び初期位置へ移された後に、図３に示しかつ上述したように、吸引ノズル１４が一番前の糸を分離することができる。カメラ１７から与えられるデータ及び縦糸模様反覆との比較により、この糸が縦糸模様反覆に従って期待される糸に一致しているか否か再び確認される。一致している場合、糸が移送手段４３により捕捉されて、処理される側１１即ち機械の綾取り側へ導かれる（図２）。ここで既に前に両方の綾糸９，１０は、最後に綾取り側へ移された糸の前で交差されている。これにより最後に移された両方の糸も物理的に互いに分離される。
【００４７】  今や制御装置は、縦糸模様反覆に基いて、一時貯蔵装置にある糸が次の糸として移送側へもたらされ得ることが確認されると、取出し過程が開始される。
【００４８】  このため糸２を既に軸２３上へもたらした同じ引渡し脚辺３６が、軸２３の方へ揺動される。揺動レバー３０のかぎ４０は、この場合軸２３の自由端２３ｂのすぐ下に設けられ、糸２の受入れの際軸がその回転方向とは逆に回される。これにより糸は軸端部の方へ導かれ、最後に軸２３から釈放される。その場合かぎ４０は糸２を捕捉する。中立終端位置へのこの引渡し脚辺３６の戻り揺動により、かぎ４０が糸２を釈放する。この場合張力のため糸は案内素子上へ達し、それからこの案内素子上で糸が、その傾斜した滑り面２７上を戻って糸層１の方へ滑る。その間に糸層の方へ前進して糸層の第１の糸上に設けられる捕捉片３２が、糸２を捕捉する（図１１）。
【００４９】  糸２が捕捉片３２上に来た後、捕捉片３２を戻すことができる。それから糸２は、今や糸層１の一番前の糸２として、この糸層へ戻る（図１２）。これにより取出し過程において糸２が所定のやり方で導かれたので、糸が糸層へ戻る前に、糸に含まれるエネルギの大部分が既に減少されている。これにより糸は、僅かな残留運動エネルギで、糸層の面へ達し、それにより糸の後振動を大幅に回避することができる。糸は次に吸引ノズルにより糸層から分離され、それから綾取り側へ移されることができる。
【００５０】  この本発明により好まれる原理に基いて、糸層からの糸の分離に関連して、個々の糸相互の可能な多数の層に反応することができる。このうち例えば若干について以下に説明する。
【００５１】  一時貯蔵装置を空にできる前に、複数の糸２を一時貯蔵装置へ移さねばならないことが起こり得る。図４に示すこの場合、異なる色又は特性の糸である場合、分離される各糸２に対して軸２３が受入れ方向に少なくともそれぞれ１回転更に回されねばならない。これにより貯蔵手段にある異なる色の糸が、ねじにより互いに分離されるようにすることができる。これに反し貯蔵手段に最後に保管される糸及び新たに保管すべき糸が同じ部分層に属しているので、これら両方の糸を貯蔵手段において必ずしも物理的に互いに分離する必要がない。これらの糸は、ねじ１回転より小さい範囲内で貯蔵手段上にあるようにすることができる。
【００５２】  分離すべき各糸を持つ軸の特定の回数角だけの引続く回転は、それぞれの糸が一時貯蔵装置へもたらされるか否かに関係なく有利である。既に軸２３上に設けられる糸は、それにより順次に軸上で自由端２３ｂから離される。
【００５３】  ねじのピッチの適当な選択により、軸２３上に糸層１の糸密度が形成されるようにすることができる。更に処理されるか又は一時貯蔵される糸を持つ軸２３が、糸層の面に対して平行に、糸層の処理方向２８へ段階的に並進送りされるようにすることもできる。この場合送り段階の各々も糸密度に相当し、即ち糸層１の順次に続く糸の目標間隔に相当することができる。この方策により、特に簡単に、一時保管装置にある糸の張力が糸の塑性変形を生じないようにすることができる。糸の張力は少なくともほぼ一定であるようにするのがよい。
【００５４】  更に図４に示すように、糸のそれぞれの側に設けられるそれぞれ１つの一時貯蔵装置により、１つ又は複数の糸の一時貯蔵の際、糸層にまだ存在する糸が一時貯蔵装置の糸に巻付くことがないようにすることもできる。巻付き又はねじりは糸を強く負荷し、糸の引きちぎりを生じる可能性がある。縦糸ビームの方へのねじりは特に危険である。なぜならば、これらのねじりは、次の作業段階において、綜絖素子の引込みに関連して、もはや解消することができず、少なくとも手による介入なしには解消できないからである。
【００５５】  従って本発明によれば、分離手段１３により捕捉されて一時貯蔵装置に保持すべき糸２が軸２２，２３上へもたらされ、これら軸の側で糸２が１つ又は複数の他の糸と交差するのが好ましい。糸層の組立ての際における部分層相互の連続、及びそれに伴う糸層中の糸分離ひも７，８の推移のため、糸が糸層の特定の側でのみ他の色の糸と交差できることを、前提とすることができる。糸が他の色の糸と糸層の他の側で交差するのを阻止するために、開始の前に、部分層の各々を他の部分層から分離する分離個所を越えて、層分離ひも７，８を引張ることができる。これにより分離手段１３の接近範囲に、一時貯蔵装置の利用を意図する本発明の分離方法により解消できる交差部しか残らないようにすることができる。
【００５６】  従ってこの方策により、２つ又はそれ以上の異なる色形式例えば異なる色の糸２〜４を持つ糸層を、糸の巻付きなしに、特に有利に処理することができる。
【００５７】  同じ色の順次に続く糸２〜４は、いずれにせよ常に層分離ひもの同じ側にあるので、このように一時貯蔵すべき糸は同じ貯蔵装置へも移されるようにする。
【００５８】  順次に続いて一時貯蔵すべき異なる色従って異なる部分層の糸は、これに反し、ねじれを回避するため、異なる貯蔵装置へ移されるようにする。更に貯蔵装置を続いて空にするため、貯蔵装置において異なる色の糸の間に、少なくとも１つのねじ回転の間隔が形成されると有利である。
【００５９】  図１３ａ及び１３ｂには、このような縦糸層の一部が示され、図１３ａの図には実際状態が、図１３ｂの図には目標状態が示されている。符号ａ，ｂ及びｃ，ｄを持つ糸は同じ色例えば緑色を持っている。これに反し糸ｅ，ｆは白であり、糸ｇ，ｈは青とすることができる。図１３ｂの目標状態（縦糸模様反覆）に従って、糸順序は（図１３ｂの図では右から左へ）ａ，ｂ，ｃ，ｄ，ｅ，ｆ，ｇ，ｈである。これからわかるように、実際状態（図１３ａ）では、緑の糸ｃ，ｄが白の糸ｅ，ｆ及び青の糸ｇ，ｈと交差している。
【００６０】  目標配置を得るため、緑、白及び青の部分層とそれぞれ他の部分層との相対位置が考慮される。このため図１３ｃには、部分層を糸層１となるように組立てる際存在したけれども本発明により綾を入れる際考慮せねばならない状態が示されている。図１３ｃに示すように、縦糸ビーム４５上に３つの部分層が巻付けられ、第１の層分離ひも７が青の部分層（糸ｇ，ｈ）と緑の部分層（糸ａ，ｂ，ｃ，ｄ）の間へ導入されている。これに反し第２の層分離ひも８は緑の部分層（糸ａ，ｂ，ｃ，ｄ）と白の部分層（糸ｅ，ｆ）との間に延びている。
【００６１】  組立ての際形成される部分層のこれらの相対位置、特に層分離ひもに対する位置は、それぞれの糸をどの一時貯蔵装置へ移すべきかを決定する際に考慮される。このことは、縦糸模様反覆に従って探される糸に対する一時記憶すべき糸の位置に相当する糸が、常に一時貯蔵装置又は貯蔵手段へ移されることを意味する。縦糸模様反覆に従って他の部分層の糸の上に設けられている部分層の糸は、常に上部貯蔵手段へもたらされるようにする。次の“目標糸”が由来する部分層の下に縦糸模様反覆に従って設けられている部分層の糸は、従って下部貯蔵手段へ移される。これにより糸のねじれを簡単に回避することができる。
【００６２】  図１３ａ〜１３ｃによる実施例では、部分的に示される縦糸層が左から右へ処理される。このため縦糸層は、２つの締付け個所の間に締付けられ、図１３ａ及び図１３ｂには１つの締付け個所のみが示されている。糸の分離のため吸引ノズル１４が使用される。
【００６３】  上記の基準によれば、これは、実施例に対して、まず両方の緑の糸ｄ，ｃが順次に上部貯蔵装置へ移されることを意味している。縦糸模様反覆に従って青の色ｇ，ｈが期待されるが、実際には分離手段は緑の糸を捕捉する。図１３ｃからわかるように、緑の部分層（糸ａ，ｂ，ｃ，ｄ）は青の部分層（糸ｇ，ｈ）の上に設けられている。従って緑の色が上部貯蔵手段へ移される。同じことが第２の緑の糸ｃにも当てはまり、それにより今や上部一時貯蔵装置に２つの緑の色ｃ，ｄが設けられている。
【００６４】  それから吸引ノズル１４が両方の青の色ｈ，ｇを捕捉して移行手段へ引渡し、それにより糸ｈ，ｇが図１３ａ，１３ｂに示してない綾取り側に設けられる。次に順次に捕捉される白の糸ｆ，ｅも、縦糸模様反覆により規定される糸の順序に一致しているので、これらの糸も直接綾取り側へもたらされ、一時記憶装置へはもたらされない。縦糸模様反覆は次に２つの緑の糸を規定しているので、今や上部貯蔵手段を空にすることができ、この貯蔵手段においてまず第１の緑糸ｃが貯蔵装置から縦糸層へ移され、綾取り側へもたらされる。それから第２の緑の糸ｄにより、この過程が繰返される。両方の糸ｃ，ｄを同時に貯蔵手段から取出すことも可能である。続いて今や両方の緑の色ｂ，ａも順次に綾取り側へもたらすことができる。
【００６５】  図１４ａには、縦糸層の実際状態の別部分が断面図で示されている。これに反し図１４ｂは目標状態を示し、図１４ｃは、先行する組立て過程中における青（糸ｇ，ｈ）、緑（糸ａ，ｂ，ｃ，ｄ）及び白（糸ｅ，ｆ）の部分層の相対位置を示している。右から左へ処理すべきこの実施例では、まず両方の緑の糸ａ，ｂが上部貯蔵装置へもたらされ、両方の青の糸ｇ，ｈが綾取り側へもたらされる。それから両方の緑の糸ｃ，ｄが実際に下部貯蔵装置へもたらされねばならないだろう。なぜならば、緑の部分層（糸ａ，ｂ，ｃ，ｄ）は白の部分層（糸ｅ，ｆ）の下に設けられているからである。しかしこれは交差を生じることはできないだろう。なぜならば、その場合同じ部分層の糸は下部貯蔵手段及び上部貯蔵手段に設けられているだろうからである。次に分離される糸は、必然的に緑の部分層を“通され”ねばならないだろう。
【００６６】  これを防止するため、まず緑の糸ａ，ｂを持つ上部貯蔵手段を空にすることが意図される。それにより４つの緑の糸ａ〜ｄが一番前にある。それからこれらの糸を順次に下部貯蔵手段へもたらすことができる。これに続いて、目標状態及び今や得られる実際状態に従って続く白の糸ｅ，ｆが、綾取り側へ移される。それから緑の糸ａ〜ｄを再び下部貯蔵装置から取出して、同様に綾取り側へもたらすことができる。
【図面の簡単な説明】
【００６７】
【図１】  糸層の一部を示す。
【図２ａ】  本発明による綾取り機を部分的に斜視図で示す。
【図２ｂ】  本発明による綾取り機を異なる斜視図で示す。
【図３】  本発明による綾取り機の検出手段と共に分離手段を示す。
【図４】  本発明による綾取り機の部分正面図を示す。
【図５】  図４の図に従って糸を一時貯蔵しかつ取出す方法の第１の段階を示す。
【図６】  糸を一時貯蔵しかつ取出す方法の第２段階を示す。
【図７】  糸を一時貯蔵しかつ取出す方法の第３段階を示す。
【図８】  糸を一時貯蔵しかつ取出す方法の第４段階を示す。
【図９】  糸を一時貯蔵しかつ取出す方法の第５段階を示す。
【図１０】  糸を一時貯蔵しかつ取出す方法の第６段階を示す。
【図１１】  糸を一時貯蔵しかつ取出す方法の第７段階を示す。
【図１２】  糸を一時貯蔵しかつ取出す方法の第８段階を示す。
【図１３ａ】  糸層の一部の実際状態を示す。
【図１３ｂ】  糸層の図１３ａに示す部分の目標状態を示す。
【図１３ｃ】  図１３ａ及び図１３ｂの層の積層順序を示す。
【図１４ａ】  別の実施例を図１３ａによる表示で示す。
【図１４ｂ】  前記別の実施例を図１３ｂによる表示で示す。
【図１４ｃ】  前記実施例を図１３ｃによる表示で示す。
【図１】
2005516127.tif 000003
【図２ａ】
2005516127.tif 000004
【図２ｂ】
2005516127.tif 000005
【図３】
2005516127.tif 000006
【図４】
2005516127.tif 000007
【図５】
2005516127.tif 000008
【図６】
2005516127.tif 000009
【図７】
2005516127.tif 000010
【図８】
2005516127.tif 000011
【図９】
2005516127.tif 000012
【図１０】
2005516127.tif 000013
【図１１】
2005516127.tif 000014
【図１２】
2005516127.tif 000015
【図１３ａ】
2005516127.tif 000016
【図１３ｂ】
2005516127.tif 000017
【図１３ｃ】
2005516127.tif 000018
【図１４ａ】
2005516127.tif 000019
【図１４ｂ】
2005516127.tif 000020
【図１４ｃ】
2005516127.tif 000021
【手続補正書】
【提出日】平成16年9月3日(2004.9.3)
【手続補正１】
【補正対象書類名】明細書
【補正対象項目名】特許請求の範囲
【補正方法】変更
【補正の内容】
【特許請求の範囲】
【請求項１】
互いに実質的に平行に延びる糸により形成される糸層から分離可能な少なくとも１つの糸を一時保管するための貯蔵装置が、
張力を受ける１つ又は複数の糸を保持する少なくとも１つの受入れ部を持つ少なくとも１つの貯蔵手段を備えており、この少なくとも１つの受入れ部が糸層の面の外に設けられ、
貯蔵装置が糸を貯蔵手段へ引渡す少なくとも１つの引渡し手段を持っている、一時保管用貯蔵装置。
【請求項２】
制御装置を持ち、この制御装置により、糸層の糸の所定の目標順序が糸の実際順序と比較可能であり、
目標順序と実際順序とが相違する場合、糸の少なくとも１つを少なくとも１つの受入れ部へ移すため、制御装置が少なくとも１つの引渡し手段を動作させることを特徴とする、請求項１に記載の貯蔵装置。
【請求項３】
互いに分離した複数の糸を貯蔵手段に同時に設けるため、少なくとも１つの貯蔵手段の複数の受入れ部が設けられることを特徴とする、請求項１に記載の貯蔵装置。
【請求項４】
貯蔵手段が回転可能な軸を持ち、複数の受入れ部を構成するためこの軸が、複数のねじ山を持つねじを備えていることを特徴とする、請求項３に記載の貯蔵装置。
【請求項５】
引渡し手段により、貯蔵すべき糸が分離個所で捕捉されて、貯蔵手段へ移送可能であることを特徴とする、請求項１に記載の貯蔵装置。
【請求項６】
引渡し手段により糸が貯蔵手段から取出し可能であることを特徴とする、請求１に記載の貯蔵装置。
【請求項７】
糸層のそれぞれの側に設けることができる２つの貯蔵手段が設けられていることを特徴とする、請求項１に記載の貯蔵装置。
【請求項８】
糸層により形成される面に関して対称に貯蔵手段が設けられていることを特徴とする、請求項７に記載の貯蔵装置。
【請求項９】
両方の貯蔵手段の運動が互いに同期化されていることを特徴とする、請求項７に記載の貯蔵装置。
【請求項１０】
糸が運搬区間に沿って貯蔵手段へ引渡し可能であり、かつこの貯蔵手段中で運動可能であり、実質的に運搬区間に沿って再び送出し可能であることを特徴とする、請求項１に記載の貯蔵装置。
【請求項１１】
第１の糸が貯蔵手段により受入れ可能であり、第１の糸が貯蔵手段から取出される間又は前に、時間的に第１の糸の後で糸層から分離される第２の糸が糸層の処理側へ移送可能であることを特徴とする、請求項１に記載の貯蔵装置。
【請求項１２】
第２の糸が貯蔵手段の助けなしに糸層から処理側へ達することを特徴とする、請求項１１に記載の貯蔵装置。
【請求項１３】
糸層から分離可能な少なくとも１つの糸を一時保管するための貯蔵装置が、
糸層を引張るための引張り手段を持ち、それにより糸層の糸の少なくとも一部が互いに実質的に平行に整列可能であり、
貯蔵装置が回転軸線の周りに回転可能な少なくとも１つの貯蔵手段を備えており、この貯蔵手段が張力を受ける糸を保持する少なくとも１つの受入れ部を持ち、この少なくとも１つの受入れ部が引張られる糸層の面の外に設けられ、
貯蔵手段が駆動装置により互いに逆の２つの方向に回転可能である、
一時保管用貯蔵装置。
【請求項１４】
貯蔵装置が、少なくとも１つの糸を貯蔵装置に設けるため第１の回転方向に回転可能であり、少なくとも１つの糸を送出すため逆の方向に回転可能であることを特徴とする、請求項１３に記載の貯蔵装置。
【請求項１５】
２つの締付け個所の間に締付けられる糸層から個々の糸を分離する装置が、分離手段を備えており、この分離手段により、締付け個所の間の糸層から、それぞれ１つ又は同時に複数の糸が取出し可能であるものにおいて、張力を受ける１つ又は複数の糸を保持する少なくとも１つの受入れ部を持つ貯蔵手段が設けられ、それにより少なくとも１つの受入れ部が糸層の面の外に設けられていることを特徴とする、分離装置。
【請求項１６】
個々の糸の特性特に糸層から分離される糸の特性を検出する検出装置が設けられていることを特徴とする、請求項１５に記載の装置。
【請求項１７】
検出装置により、検出される糸の特性に関する実際情報を供給するため、検出装置が分離装置の制御装置に接続され、この制御装置に糸層の糸を少なくとも１つの特性についての目標情報が記憶可能であり、機械制御装置により、記憶されている情報と検出装置により求められる情報との比較が行われることを特徴とする、請求項１６に記載の装置
【請求項１８】
２つの締付け個所の間に締付けられる糸層から個々の糸を分離する分離装置が設けられて、分離手段を備えており、この分離手段により、締付け個所の間の糸の層から、それぞれ１つ又は同時に複数の糸が取出し可能であり、張力を受ける１つ又は複数の糸を保持する少なくとも１つの受入れ部を持つ貯蔵手段が設けられ、それにより少なくとも１つの受入れ部が糸層の面の外に設けられていることを特徴とする、縦糸引込み機。
【請求項１９】
糸層を締付けるための手段が設けられ、それにより糸層の締付けられた糸が互いに実質的に平行に延び、少なくともそれぞれ１つの締付けられた糸を糸層から分離する手段が設けられ、
綾取り機が綾を糸層へ入れる手段を備えており、
互いに実質的に平行に延びる糸により形成される糸層から分離可能な少なくとも１つの糸を一時保管するための貯蔵装置が設けられて、張力を受ける１つ又は複数の糸を保持する少なくとも１つの受入れ部を持つ少なくとも１つの貯蔵手段を備えており、それにより少なくとも１つの受入れ部が糸層の面の外に設けられ、
貯蔵装置が糸を貯蔵手段へ引渡す少なくとも１つの引渡し手段を持っていることを特徴とする、綾取り機。
【請求項２０】
締付けられている糸層からそれぞれ少なくとも１つの糸を分離する方法において、糸の所定の順序の相違があると、糸層から分離された少なくとも１つの糸が一時貯蔵装置へ移され、少なくとも１つの別の糸が糸層から分離された後、前記の分離された糸が一時貯蔵装置から取出されることを特徴とする方法。
【請求項２１】
糸が糸層外にある受入れ部に一時貯蔵されることを特徴とする、請求項２０に記載の方法。
【請求項２２】
糸の所定の順序が、電子制御装置において、検出装置により求められる糸の順序の実際状態と比較され、相違があると、分離された糸を引受けて一時貯蔵装置へ移す引渡し手段が動作せしめられることを特徴とする、請求項２０に記載の方法。
【請求項２３】
まず糸が第１の一時貯蔵装置へ移され、この糸の取出し前に少なくとも１つの別の糸が第２の一時記憶装置へ移され、それにより両方の貯蔵装置が糸層の異なる側に設けられることを特徴とする、請求項２０に記載の方法。
【請求項２４】
糸層の部分層の積層順序に基いて、どの一時貯蔵装置へそれぞれの糸が移されるかが決定されることを特徴とする、請求項２３に記載の方法。
【請求項２５】
順次に複数の糸が特定の順序で少なくとも１つの一時貯蔵装置へ移され、これらの糸が順次に逆の順序で再びこの少なくとも１つの一時貯蔵装置から取出されることを特徴とする、請求項２０に記載の方法。


【国際調査報告】
2005516127.tif 000022
2005516127.tif 000023
2005516127.tif 000024
2005516127.tif 000025
2005516127.tif 000026
2005516127.tif 000027